【手続補正書】
【提出日】平成29年6月19日(2017.6.19)
【手続補正１】
【補正対象書類名】明細書
【補正対象項目名】００３６
【補正方法】変更
【補正の内容】
【００３６】
上記の変形および変更は本発明の範囲内にある。本明細書に開示および規定されている本発明は、言及されているか、または本文および／または図面から明らかである個々の特徴の２つ以上の全ての代替的な組み合わせに及ぶことが理解される。これらの様々な組み合わせの全ては、本発明の種々の代替的な態様を構成する。本明細書に記載の実施形態は、本発明を実施するためのわかっている最良の形態を説明しており、当業者が本発明を利用することを可能にする。特許請求の範囲は、従来技術が許容する範囲まで代替的な実施形態を含むものと解釈すべきである。
本発明の種々の特徴は添付の特許請求の範囲内に記載されている。
なお、本発明は以下の特徴を以って実施することができる。
［特徴１］
内部を貫く穴を画定するグロメット頭部および該グロメット頭部から延びる複数の脚部を有する締結具グロメットと、
ピン頭部および前記グロメット頭部の前記穴に挿通されるように構成されたシャフト部を有する締結具ピンとを備え、
前記グロメットと前記ピンとは、前記脚部が弛緩状態にある状態で該ピンが該グロメット内に保持される事前設置相対構成を有し、前記グロメットと前記ピンとは、該ピンが前記脚部を外側回転位置に保持し、該脚部が前記弛緩状態にある場合よりも大きい該脚部の外径を規定する設置相対構成を有する押込み締結具。
［特徴２］
前記グロメット頭部から前記脚部の外面への移行部にアンダーカットを有する特徴１に記載の押込み締結具。
［特徴３］
前記ピンシャフト部は、第１の直径の遠位側首部と、前記第１の直径よりも大きい第２の直径の近位側首部とを含む特徴１に記載の押込み締結具。
［特徴４］
前記グロメット頭部から前記脚部の外面への移行部にアンダーカットを有する特徴３に記載の押込み締結具。
［特徴５］
前記グロメットは４つの前記脚部を有する特徴３に記載の押込み締結具。
［特徴６］
前記脚部は、前記事前設置相対構成では前記遠位側首部の回りに配置され、前記設置相対構成では前記近位側首部の回りに配置される内向き先端部を有する特徴５に記載の押込み締結具。
［特徴７］
前記脚部は、前記事前設置相対構成では前記ピンのより細い領域の回りに配置され、前記設置相対構成では前記ピンのより太い領域の回りに配置される内向き先端部を有する特徴１に記載の押込み締結具。
［特徴８］
前記グロメットは４つの前記脚部を有する特徴１に記載の押込み締結具。
［特徴９］
前記グロメット脚部は、前記グロメット頭部の前記穴に隣接する内方に傾斜した内面と、該内方に傾斜した内面から外方に傾斜した内面への移行部とを有し、前記ピンは、前記移行部間に画定された空間よりも幅広の近位セグメントを有する特徴１に記載の押込み締結具。
［特徴１０］
前記ピンは、該ピンの前記近位セグメントから遠位側の部分にかけて内方に傾斜した面を有する特徴９に記載の押込み締結具。
［特徴１１］
前記ピンシャフト部は、第１の直径の遠位側首部と、前記第１の直径よりも大きい第２の直径の近位側首部とを含む特徴１０に記載の押込み締結具。
［特徴１２］
前記脚部は、前記事前設置相対構成では前記遠位側首部の回りに配置され、前記設置相対構成では前記近位側首部の回りに配置される内向き先端部を有する特徴１１に記載の押込み締結具。
［特徴１３］
内部を貫く穴を画定するグロメット頭部および該グロメット頭部から延びる複数の脚部を有する締結具グロメットと、
前記穴よりも大きい直径のピン頭部および前記グロメット頭部の前記穴に挿通されるように構成されたシャフト部を有する締結具ピンとを備え、
前記グロメット脚部は内向き先端部を有し、前記ピンシャフト部は、前記頭部に対する遠位側首部および近位側首部を有し、該遠位側首部は第１の直径であり、前記近位側首部は前記第１の直径よりも大きい第２の直径であり、前記グロメットと前記ピンとは、前記内向き先端部が前記遠位側首部の回りに配置されることによって該グロメットが該ピンに固定される事前設置相対構成を有し、前記グロメットと前記ピンとは、前記内向き先端部が前記近位側首部の回りに配置される設置相対構成を有する押込み締結具。
［特徴１４］
前記グロメット頭部から前記脚部の外面への移行部にアンダーカットを有する特徴１３に記載の押込み締結具。
［特徴１５］
前記グロメットは４つの前記脚部を有する特徴１３に記載の押込み締結具。
［特徴１６］
前記グロメット頭部から前記脚部の外面への移行部にアンダーカットを有する特徴１５に記載の押込み締結具。
［特徴１７］
前記グロメット脚部は、前記グロメット頭部の前記穴に隣接する内方に傾斜した内面と、該内方に傾斜した内面から外方に傾斜した内面への移行部とを有し、前記ピンは、前記移行部間に画定された空間よりも幅広の近位セグメントを有する特徴１５に記載の押込み締結具。
［特徴１８］
前記ピンは、該ピンの前記近位セグメントから遠位側の部分にかけて内方に傾斜した面を有する特徴１７に記載の押込み締結具。
［特徴１９］
前記グロメット脚部は、前記グロメット頭部の前記穴に隣接する内方に傾斜した内面と、該内方に傾斜した内面から外方に傾斜した内面への移行部とを有し、前記ピンは、前記移行部間に画定された空間よりも幅広の近位セグメントを有する特徴１３に記載の押込み締結具。
［特徴２０］
前記ピンは、該ピンの前記近位セグメントから遠位側の部分にかけて内方に傾斜した面を有する特徴１９に記載の押込み締結具。
【手続補正２】
【補正対象書類名】特許請求の範囲
【補正対象項目名】全文
【補正方法】変更
【補正の内容】
【特許請求の範囲】
【請求項１】
内部を貫く穴を画定するグロメット頭部および該グロメット頭部から延びる複数の脚部であって、前記グロメット頭部の前記穴に隣接する内方に傾斜した内面と、該内方に傾斜した内面から外方に傾斜した内面への移行部とを有した複数の脚部を有する締結具グロメットと、
ピン頭部と、前記グロメット頭部の前記穴に挿通されるシャフト部とを有し、前記移行部間に画定される空間よりも幅広の近位セグメントを有する締結具ピンとを備え、
前記グロメットと前記ピンとは、前記脚部が弛緩状態にある状態で該ピンが該グロメット内に保持される事前設置相対構成を有し、
前記グロメットと前記ピンとは、該ピンが前記脚部を外側回転位置に保持し、該脚部が前記弛緩状態にある場合よりも大きい該脚部の外径を規定する設置相対構成を有する押込み締結具。
【請求項２】
内部を貫く穴を画定するグロメット頭部および該グロメット頭部から延びる複数の脚部であって、前記グロメット頭部の前記穴に隣接する内方に傾斜した内面と、該内方に傾斜した内面から外方に傾斜した内面への移行部とを有した複数の脚部を有する締結具グロメットと、
前記穴よりも大きい直径のピン頭部と、前記グロメット頭部の前記穴に挿通されるシャフト部とを有し、前記移行部間に画定される空間よりも幅広の近位セグメントを有する締結具ピンとを備え、
前記グロメット脚部は内向き先端部を有し、
前記ピンのシャフト部は、前記頭部に対して遠位側の首部と、近位側の首部とを有し、該遠位側の首部は第１の直径を有し、前記近位側の首部は前記第１の直径よりも大きい第２の直径を有しており、
前記グロメットと前記ピンとは、前記内向き先端部が前記遠位側首部の回りに配置されることによって該グロメットが該ピンに固定される事前設置相対構成を有し、
前記グロメットと前記ピンとは、前記内向き先端部が前記近位側首部の回りに配置される設置相対構成を有する押込み締結具。